(57)【要約】      （修正有）【課題】  使用する部品の種類を少なくすることができて部品を共通化することができ、その手配が行い易くでき、手配ミス、リスト作成上のミスを減らすことができ、しかも回路部の相違を分かり易くすることができるプリント基板を提供する。【解決手段】  メイン基板３の一方側に共通回路部４が設けられ、この共通回路部４の左右いずれかの位置にＳＡＣＤ回路部あるいはＤＶＩ回路部５が設けられるようにしたプリント基板において、メイン基板３におけるＳＡＣＤ回路部あるいはＤＶＩ回路部５の配置位置が共通回路部４の左右いずれかの同じ位置とされており、共通回路部４の端部即ち各回路部が配置される側の端部に上向きのコネクタ６が配置されていて、更に、ＳＡＣＤ回路部あるいはＤＶＩ回路部５の外側の端部には横向きのコネクタ７、１３が配置されている。【選択図】  図１
2006013165.tif 000002
【特許請求の範囲】
【請求項１】
メイン基板の一方側に共通回路部が設けられ、この共通回路部の左右いずれかの位置にＳＡＣＤ回路部あるいはＤＶＩ回路部が設けられるようにしたプリント基板において、前記メイン基板における前記ＳＡＣＤ回路部あるいは前記ＤＶＩ回路部の配置位置が前記共通回路部の左右いずれかの同じ位置とされており、前記共通回路部の端部即ち前記各回路部が配置される側の端部に上向きのコネクタが配置されていて、更に、前記ＳＡＣＤ回路部の外側の端部には横向きのコネクタが配置され、この横向きのコネクタと下側に位置されるＡＶ基板の端部の横向きのコネクタとがＦＦＣケーブルで接続され、前記ＡＶ基板と５．１ｃｈ基板とがコネクタとＦＦＣケーブルとで接続されるように構成され、又は前記ＤＶＩ回路部の外側の端部に横向きのコネクタが配置され、この横向きのコネクタと下側に位置されるＡＶ基板の端部の横向きのコネクタとがＦＦＣケーブルで接続されていることを特徴とするプリント基板。
【請求項２】
メイン基板の一方側に共通回路部が設けられ、この共通回路部の左右いずれかの位置にＳＡＣＤ回路部あるいはＤＶＩ回路部等の特殊な回路部を配置するようにしたプリント基板において、前記メイン基板における共通回路部の左右いずれか一方の定められた位置に、前記ＳＡＣＤ回路部あるいはＤＶＩ回路部等の特殊な回路部が配置されていることを特徴とするプリント基板。
【発明の詳細な説明】
【技術分野】
【０００１】
本発明は、メイン基板の一方側に共通回路部が設けられ、この共通回路部の左右いずれかの位置にＳＡＣＤ回路部あるいはＤＶＩ回路部等の特殊な回路部を配置するようにしたプリント基板に関するものである。
【背景技術】
【０００２】
従来、この種のプリント基板は、図３（ａ）（ｂ）（ｃ）に示すように、例えば、メイン基板１０１の共通回路部１０２の右側にＳＡＣＤ回路部１０３が設けられ、又は、メイン基板１０１の共通回路部１０２の左側にＤＶＩ回路部１０４が設けられるようにしていた。
【０００３】
このために、メイン基板１０１の共通回路１０２に対して、ＳＡＣＤ回路部１０３やＤＶＤ回路部１０４等の特殊な回路部が右にあったり、左にあったりして統一されてなく、使用部品が分かり難いという問題があった。また、図に示すように、両回路部の中央位置に位置されるコネクタ１０５が横向きのものを縦向きに取り替えたり、縦向きのものを横向きのものに取り替えたりして使用する部品が多くなるという問題があった。  
【０００４】
第１の従来技術を図４に示す。この従来技術は、図４に示すように、デジタルテレビとデジタルテレビ−セットトップボックス相互に共通する回路部品を搭載する第１の基板２０１と、各々の用途に応じた回路部品を搭載する第２の基板２０２と、第１の基板２０１及び第２の基板２０２を相互に電気的に接続する接続配線体２１１、２１２、２１３とからなっている。第１の基板２０１は、チューナ２０３で受信した信号をデジタル処理回路２０４とが備えられ、接続配線体２１１、２１２、２１３にそれぞれ接続される接続部２０５、２０６、２０７が一側縁部２０１ａに設けられていて、デジタルテレビとデジタルテレビ−セットトップボックスに共用される。第２の基板２０２の一側縁部２０２ａには、接続配線体２１１、２１２、２１３にそれぞれ接続される接続部２０８、２０９、２１０が設けられている。（例えば、特許文献１参照）。
【０００５】
ところが、これにおいては、第１の基板２０１と第２の基板２０２を接続配線体２１１、２１２、２１３で接続しなくてはならないものであった。また、この接続のための別々の接続部２０５、２０６、２０７及び２０８、２０９、２１０を必要としていた。
【０００６】
第２の従来技術を図５に示す。この従来技術は、図５に示すように、電源回路や制御回路からなる主回路部品３１５を搭載する主基板３０２と、表示回路や操作回路からなる補助回路部品３０７を搭載する補助基板３０３と、主基板３０２および補助基板３０３間を接続する連結手段３０４とからなり、仕様の異なる機種にそれぞれ組み込まれる基板配線体において、各機種に共通する主回路部品３１５だけを主基板３０２に搭載し、機種毎に異なる主回路部品３１５Ａを補助基板３０３に搭載可能にした。（例えば、特許文献２参照）。
【０００７】
ところが、これにおいては、主基板３０２と補助基板３０３とを連結手段３０４で接続しなくてはならないものであった。
【特許文献１】特開２００３−６１００９号公報
【特許文献２】特開２００１−８５８７４号公報
【発明の開示】
【発明が解決しようとする課題】
【０００８】
本発明は、上記従来の問題に鑑みてなされたものであって、使用する部品の種類を少なくすることができて部品を共通化することができ、その手配が行い易くでき、手配ミス、リスト作成上のミスを減らすことができ、しかも回路部の相違を分かり易くすることができるプリント基板を提供することを目的としている。
【課題を解決するための手段】
【０００９】
本発明は、上記課題を解決するために提案されたものであって、請求項１に記載の発明は、メイン基板の一方側に共通回路部が設けられ、この共通回路部の左右いずれかの位置にＳＡＣＤ回路部あるいはＤＶＩ回路部が設けられるようにしたプリント基板において、前記メイン基板における前記ＳＡＣＤ回路部あるいは前記ＤＶＩ回路部の配置位置が前記共通回路部の左右いずれかの同じ位置とされており、前記共通回路部の端部即ち前記各回路部が配置される側の端部に上向きのコネクタが配置されていて、更に、前記ＳＡＣＤ回路部の外側の端部には横向きのコネクタが配置され、この横向きのコネクタと下側に位置されるＡＶ基板の端部の横向きのコネクタとがＦＦＣケーブルで接続され、前記ＡＶ基板と５．１ｃｈ基板とがコネクタとＦＦＣケーブルとで接続されるように構成され、又は前記ＤＶＩ回路部の外側の端部に横向きのコネクタが配置され、この横向きのコネクタと下側に位置されるＡＶ基板の端部の横向きのコネクタとがＦＦＣケーブルで接続されていることを特徴としている。
【００１０】
請求項２に記載の発明は、メイン基板の一方側に共通回路部が設けられ、この共通回路部の左右いずれかの位置にＳＡＣＤ回路部あるいはＤＶＩ回路部等の特殊な回路部を配置するようにしたプリント基板において、前記メイン基板における共通回路部の左右いずれか一方の定められた位置に、前記ＳＡＣＤ回路部あるいはＤＶＩ回路部等の特殊な回路部が配置されていることを特徴としている。
【発明の効果】
【００１１】
請求項１に記載の発明によれば、メイン基板の決められた一方側に共通回路部が設けられ、この共通回路部の左右いずれかの同じ位置にＳＡＣＤ回路部あるいはＤＶＩ回路部が配置されているので、使用する部品の種類を少なくすることができて部品を共通化することができる。また、部品の手配を行い易くでき、手配ミス、リスト作成上のミスを減らすことができ、しかも回路部の相違を分かり易くすることができる。
【００１２】
請求項２に記載の発明によれば、メイン基板の決められた一方側に共通回路部が設けられ、この共通回路部の左右いずれかの同じ位置にＳＡＣＤ回路部あるいはＤＶＩ回路部等の特殊な回路部が配置されているので、使用する部品の種類を少なくすることができて部品を共通化することができる。また、部品の手配を行い易くでき、手配ミス、リスト作成上のミスを減らすことができ、しかも回路部の相違を分かり易くすることができる。
【発明を実施するための最良の形態】
【００１３】
以下、本発明に係るプリント基板の実施の形態について、図を参照しつつ説明する。
【００１４】
図１は本発明の実施形態のプリント基板における共通回路の右側にＤＶＩ回路を設けた状態を示し、（ａ）はその平面図、（ｂ）はその要部の正面図である。
【００１５】
本実施形態のプリント基板は、図１（ａ）（ｂ）に示すように、リヤキャビネット１とフロントキャビネット２からなる筐体の内部にメイン基板３が配置されている。このメイン基板３の左側に共通回路部４が配置され、右側にＤＶＩ回路部５が配置されている。共通回路部４とＤＶＩ回路部５との境目部分に上向きのコネクタ６が設けられ、ＤＶＩ回路部５の右端には横向きのコネクタ７が設けられている。このメイン基板３の下側には、ＡＶ基板８が配置されていて、ＤＶＩ回路部５の横向きのコネクタ７とＡＶ基板８の右端の横向きのコネクタ９とがＦＦＣケーブル１０で接続されている。また、ＡＶ基板８からはリヤキャビネット１の外側に向けて３つのジャック１１が突出状態で配設されている。
【００１６】
図２は実施形態のプリント基板における共通回路の右側にＳＡＣＤ回路を設けた状態を示し、（ａ）はその平面図、（ｂ）はその要部の正面図である。
【００１７】
図２（ａ）（ｂ）に示すように、この図では、リヤキャビネット１とフロントキャビネット２からなる筐体の内部にメイン基板３が配置されている。このメイン基板３の左側に共通回路部４が配置され、右側にＳＡＣＤ回路部１２が配置されている。共通回路部４とＳＡＣＤ回路部１２との境目部分に上向きのコネクタ６が設けられ、ＳＡＣＤ回路部１２の右端には横向きのコネクタ１３が設けられている。このメイン基板３の下側には、ＡＶ基板１４が配置されていて、ＳＡＣＤ回路部１２の横向きのコネクタ１３とＡＶ基板１４の右端の横向きのコネクタ１５とがＦＦＣケーブル１６で接続されている。
【００１８】
更に、ＡＶ基板１４の右側には、５．１ｃｈ基板１７が配置されていて、このＡＶ基板１４と５．１ｃｈ基板１７とがコネクタ１８、１９とＦＦＣケーブル２０とで接続されている。また、ＡＶ基板１４からはリヤキャビネット１の外側に向けて３つのジャック２１が突出状態で配設されているとともに、５．１ｃｈ基板１７からも６つのジャック２２がリヤキャビネット１の外側に向けて突出状態で配設されている。
【００１９】
従って、本実施形態によれば、メイン基板３の決められた一方側（左側）に共通回路部４が設けられ、この共通回路部４の右側の同じ位置にＳＡＣＤ回路部１２あるいはＤＶＩ回路部５が配置されているので、コネクタ６等の使用する部品の種類を少なくすることができて部品を共通化することができる。また、部品の手配を行い易くでき、手配ミス、リスト作成上のミスを減らすことができ、しかも回路部の相違を分かり易くすることができる。
【００２０】
尚、本実施形態においては、メイン基板３の左側に共通回路部４を配置し、右側にＳＡＣＤ回路部１２あるいはＤＶＩ回路部５を設けたものについて説明したが、共通回路部４をメイン基板３の右側に配置し、ＳＡＣＤ回路部１２あるいはＤＶＩ回路部５を左側に配置してもよいことは勿論である。特殊な回路部として、ＳＡＣＤ回路部１２とＤＶＩ回路部とについて説明したが、これに限らず、他の特殊な回路部も適用できることは勿論である。
【図面の簡単な説明】
【００２１】
【図１】本発明の実施形態のプリント基板における共通回路の右側にＤＶＩ回路を設けた状態を示し、（ａ）はその平面図、（ｂ）はその要部の正面図である。
【図２】実施形態のプリント基板における共通回路の右側にＳＡＣＤ回路を設けた状態を示し、（ａ）はその平面図、（ｂ）はその要部の正面図である。
【図３】従来のプリント基板を示し、（ａ）はそのメイン基板の正面図、（ｂ）はそのメイン基板の共通回路部の右側にＳＡＣＤ回路部が設けられた状態の正面図、（ｃ）はそのメイン基板の共通回路部の左側にＤＶＩ回路部が設けられた状態の正面図である。
【図４】従来の基板配線体の平面図である。
【図５】従来の他の例の基板配線体の平面図である。
【符号の説明】
【００２２】
１      リヤキャビネット
２      フロントキャビネット
３      メイン基板
４      共通回路部
５      ＤＶＩ回路部
６      上向きのコネクタ
７      横向きのコネクタ
８      ＡＶ基板
９      横向きのコネクタ
１０    ＦＦＣケーブル
１１    ジャック
１２    ＳＡＣＤ回路部
１３    横向きのコネクタ
１４    ＡＶ基板
１５    横向きのコネクタ
１６    ＦＦＣケーブル
１７    ５．１ｃｈ基板
１８    コネクタ
１９    コネクタ
２０    ＦＦＣケーブル
２１    ジャック
２２    ジャック
【図１】
2006013165.tif 000003
【図２】
2006013165.tif 000004
【図３】
2006013165.tif 000005
【図４】
2006013165.tif 000006
【図５】
2006013165.tif 000007